(57)【特許請求の範囲】
【請求項１】
ヘテロジニアスな無線ネットワークにおける有効通信範囲を強化する方法であって、
複数の送信アンテナ・ポートを示す基準信号を生成することと、
変調シンボルを生成することと、
前記複数の送信アンテナ・ポートのための空間ダイバーシティ符号化スキームにしたがって、前記複数の送信アンテナ・ポートのおのおのに変調シンボルを割り当てることと、
前記空間ダイバーシティ符号化スキームにしたがって、送信前に、前記複数の送信アンテナ・ポートのうちの第１のサブセットに割り当てられた変調シンボルのうちの少なくとも１つを調節することによってゼロ送信電力にミュートすることと、
ミュートされていない変調シンボルと前記基準信号とを、前記複数の送信アンテナ・ポートのうちの第２のサブセットで送信することと、を備える方法。
【請求項２】
前記ミュートすることは、第１のｅノードＢの有効通信範囲エリア内のユーザ機器（ＵＥ）が検出されると、前記第１のｅノードＢによって実行され、
前記ＵＥは、第２のｅノードＢと通信しており、
前記第１のｅノードＢからのダウンリンク信号は、前記ＵＥと前記第２のｅノードＢとの間の通信信号と干渉する、請求項１に記載の方法。
【請求項３】
前記基準信号は、共通基準信号（ＣＲＳ）を備える、請求項１に記載の方法。
【請求項４】
前記ミュートされていない変調シンボルを送信することはさらに、ＰＢＣＨ（物理ブロードキャスト・チャネル）領域で送信することを備える、請求項１に記載の方法。
【請求項５】
少なくとも１つのユーザ機器（ＵＥ）へミュート・パターンをシグナルすること、をさらに備える請求項１に記載の方法。
【請求項６】
前記ミュートされた変調シンボルは、時間および周波数のうちの少なくとも１つにわたって変動する、請求項１に記載の方法。
【請求項７】
同じリソース・ブロック内の全てのＳＦＢＣ／ＳＦＢＣ−ＦＳＴＤ（空間周波数ブロック符号／空間周波数ブロック符号−周波数シフト時間ダイバーシティ）グループについて、同じミュート・パターンが使用される、請求項６に記載の方法。
【請求項８】
前記ミュートされた変調シンボルに割り当てられた電力に基づいて、ミュートされていない変調シンボルに電力ブーストを加えること、をさらに備える請求項１に記載の方法。
【請求項９】
ｅノードＢの空間ダイバーシティ送信スキームが修正されていることを示すインジケーションを受信することと、
前記修正された空間ダイバーシティ送信スキームに基づいて、データを復号することと、をさらに備える請求項１に記載の方法。
【請求項１０】
無線通信のための装置であって、
メモリと、
前記メモリに接続された少なくとも１つのプロセッサとを備え、
前記少なくとも１つのプロセッサは、
複数の送信アンテナ・ポートを示す基準信号を生成し、
変調シンボルを生成し、
前記複数の送信アンテナ・ポートのための空間ダイバーシティ符号化スキームにしたがって、前記複数の送信アンテナ・ポートのおのおのに前記変調シンボルを割り当て、
前記空間ダイバーシティ符号化スキームにしたがって、送信前に、前記複数の送信アンテナ・ポートのうちの第１のサブセットに割り当てられた変調シンボルのうちの少なくとも１つを調節することによってゼロ送信電力にミュートし、
ミュートされていない変調シンボルと前記基準信号とを、前記複数の送信アンテナ・ポートのうちの第２のサブセットで送信するように構成された、装置。
【請求項１１】
前記ミュートするように構成されたプロセッサは、第１のｅノードＢの有効通信範囲エリア内のユーザ機器（ＵＥ）が検出されると、前記第１のｅノードＢにおいて実行され、
前記ＵＥは、第２のｅノードＢと通信しており、
前記第１のｅノードＢからのダウンリンク信号は、前記ＵＥと前記第２のｅノードＢとの間の通信信号と干渉する、請求項１０に記載の装置。
【請求項１２】
前記基準信号は、共通基準信号（ＣＲＳ）を備える、請求項１０に記載の装置。
【請求項１３】
前記送信するように構成されたプロセッサはさらに、ＰＢＣＨ（物理ブロードキャスト・チャネル）領域で送信するように構成された、請求項１０に記載の装置。
【請求項１４】
前記プロセッサはさらに、少なくとも１つのユーザ機器（ＵＥ）へミュート・パターンをシグナルするように構成された、請求項１０に記載の装置。
【請求項１５】
前記ミュートされた変調シンボルは、時間および周波数のうちの少なくとも１つにわたって変動する、請求項１０に記載の装置。
【請求項１６】
同じリソース・ブロック内の全てのＳＦＢＣ／ＳＦＢＣ−ＦＳＴＤ（空間周波数ブロック符号／空間周波数ブロック符号−周波数シフト時間ダイバーシティ）グループについて、同じミュート・パターンが使用される、請求項１５に記載の装置。
【請求項１７】
前記プロセッサはさらに、前記ミュートされた変調シンボルに割り当てられた電力に基づいて、ミュートされていない変調シンボルに電力ブーストを加えるように構成された、請求項１０に記載の装置。
【請求項１８】
前記プロセッサはさらに、ｅノードＢの空間ダイバーシティ送信スキームが修正されたことを示すインジケーションを受信し、前記修正された空間ダイバーシティ送信スキームに基づいて、データを復号するように構成された、請求項１０に記載の装置。
【請求項１９】
無線ネットワークにおける無線通信のためのコンピュータ読取可能な記憶媒体であって、
コンピュータに、複数の送信アンテナ・ポートを示す基準信号を生成させるためのプログラム・コードと、
前記コンピュータに、変調シンボルを生成させるためのプログラム・コードと、
前記コンピュータに、前記複数の送信アンテナ・ポートのための空間ダイバーシティ符号化スキームにしたがって、前記複数の送信アンテナ・ポートのおのおのに変調シンボルを割り当てさせるためのプログラム・コードと、
前記コンピュータに、前記空間ダイバーシティ符号化スキームにしたがって、送信前に、前記複数の送信アンテナ・ポートのうちの第１のサブセットに割り当てられた変調シンボルのうちの少なくとも１つを調節することによってゼロ送信電力にミュートさせるためのプログラム・コードと、
前記コンピュータに、ミュートされていない変調シンボルと基準信号とを、複数の送信アンテナ・ポートのうちの第２のサブセットで送信させるためのプログラム・コードと、を備えるコンピュータ読取可能な記憶媒体。
【請求項２０】
無線通信のための装置であって、
複数の送信アンテナ・ポートを示す基準信号を生成する手段と、
変調シンボルを生成する手段と、
前記複数の送信アンテナ・ポートのための空間ダイバーシティ符号化スキームにしたがって、前記複数の送信アンテナ・ポートのおのおのに変調シンボルを割り当てる手段と、
前記空間ダイバーシティ符号化スキームにしたがって、送信前に、前記複数の送信アンテナ・ポートのうちの第１のサブセットに割り当てられた変調シンボルのうちの少なくとも１つを調節することによりゼロ送信電力にミュートする手段と、
ミュートされていない変調シンボルと前記基準信号とを、前記複数の送信アンテナ・ポートのうちの第２のサブセットで送信する手段と、を備える装置。
【発明の詳細な説明】
【関連出願に対する相互参照】
【０００１】
本願は、２０１０年４月２７日に出願された、有効通信範囲強化のために修正された空間ダイバーシティ・スキーム（MODIFIED SPATIAL DIVERSITY SCHEMES FOR COVERAGE ENHANCEMENT）と題された米国仮特許出願６１／３２８，５３５号の利益を主張する。この開示は、全体が参照によって本明細書に明確に組み込まれている。
【技術分野】
【０００２】
本開示の態様は、一般に、無線通信システムに関し、さらに詳しくは、有効通信範囲強化のために修正された空間ダイバーシティ・スキームに関する。
【背景技術】
【０００３】
無線通信ネットワークは、例えば音声、ビデオ、パケット・データ、メッセージング、ブロードキャスト等のようなさまざまな通信サービスを提供するために広く開発された。これら無線ネットワークは、利用可能なネットワーク・リソースを共有することにより、複数のユーザをサポートすることができる多元接続ネットワークでありうる。このような多元接続ネットワークの例は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、およびシングル・キャリアＦＤＭＡ（ＳＣ−ＦＤＭＡ）ネットワークを含む。
【０００４】
無線通信ネットワークは、多くのユーザ機器（ＵＥ）のための通信をサポートしうる多くの基地局を含みうる。ＵＥは、ダウンリンクおよびアップリンクによって基地局と通信しうる。ダウンリンク（すなわち順方向リンク）は、基地局からＵＥへの通信リンクを称し、アップリンク（すなわち逆方向リンク）は、ＵＥから基地局への通信リンクを称する。
【０００５】
基地局は、ダウンリンクでＵＥへデータおよび制御情報を送信し、および／または、アップリンクでＵＥからデータおよび制御情報を受信しうる。ダウンリンクでは、基地局からの送信が、近隣の基地局からの、または、その他の無線ラジオ周波数（ＲＦ）送信機からの送信による干渉に遭遇しうる。アップリンクでは、ＵＥからの送信が、近隣の基地局と通信する別のＵＥのアップリンク送信からの、または、別の無線ＲＦ送信機からの干渉に遭遇しうる。
【０００６】
この干渉は、ダウンリンクとアップリンクとの両方のパフォーマンスを低下させうる。
【０００７】
モバイル・ブロードバンド・アクセスに対する需要が増加し続けると、ＵＥが長距離無線通信ネットワークにアクセスすることや、短距離無線システムがコミュニティにおいて展開されることとともに、干渉および混雑したネットワークの可能性が高まる。研究開発は、モバイル・ブロードバンド・アクセスのための増加する需要を満たすためのみならず、モバイル通信とのユーザ経験を進化および向上させるために、ＵＭＴＳ技術を進化させ続けている。
【発明の概要】
【０００８】
１つの態様では、ヘテロジニアスな無線ネットワーク無線通信における有効通信範囲を強化する方法が開示される。この方法は、複数の送信アンテナ・ポートを示す基準信号を生成することと、変調シンボルを生成することと、を含む。変調シンボルは、複数の送信アンテナ・ポートのための空間ダイバーシティ符号化スキームにしたがって、複数の送信アンテナ・ポートのおのおのに割り当てられる。複数の送信アンテナ・ポートのうちの少なくとも１つに割り当てられた変調シンボルのうちの少なくとも１つは、空間ダイバーシティ符号化スキームにしたがって、送信前にミュートされうる。ミュートされていない変調シンボルおよび基準信号は、複数の送信アンテナ・ポートのうちのその他で送信される。
【０００９】
別の態様では、干渉元のｅノードＢからの干渉信号を除去する方法が開示される。この方法は、干渉元のｅノードＢの空間ダイバーシティ送信スキームが修正されていることを示すインジケーションを受信することを含む。修正された空間ダイバーシティ送信スキームに対応する変調シンボルが、再生成される。干渉元のｅノードＢによって送信された干渉信号は、再生成された変調シンボルと、修正された空間ダイバーシティ・スキームに基づいてデータおよびＲＳトーンから取得されたチャネル推定値とを用いて除去される。
【００１０】
別の態様は、干渉元のｅノードＢの空間ダイバーシティ送信スキームが修正されていることを示すシグナリングを受信することを含む、無線通信の方法を開示する。ユーザ機器（ＵＥ）の受信機復調および干渉推定値は、修正された空間ダイバーシティ送信スキームにしたがって調節される。この方法はまた、シグナリングに基づいて復号することを含む。
【００１１】
別の態様では、空間送信ダイバーシティ・スキームに対応する信号を除去することを含む、無線通信の方法が開示される。除去することは、受信した信号から、他のアンテナ・ポート信号の以前の推定値を引くことに基づいて、第１のアンテナ・ポート信号を反復的に推定することを含む。
【００１２】
別の態様は、メモリと、メモリに接続された少なくとも１つのプロセッサとを有する、無線通信のための態様を開示する。プロセッサ（単数または複数）は、複数の送信アンテナ・ポートを示す基準信号を生成し、かつ変調シンボルを生成するように構成される。プロセッサはまた、複数の送信アンテナ・ポートのための空間ダイバーシティ符号化スキームにしたがって、複数の送信アンテナ・ポートのおのおのに変調シンボルを割り当てるように構成される。プロセッサは、空間ダイバーシティ符号化スキームにしたがって、送信前に、複数の送信アンテナ・ポートのうちの少なくとも１つに割り当てられた変調シンボルのうちの少なくとも１つをミュートし、ミュートされていない変調シンボルと基準信号とを、複数の送信アンテナ・ポートのうちのその他で送信するように構成される。
【００１３】
別の態様では、干渉元のｅノードＢからの干渉信号を除去するための装置が開示される。この装置は、メモリと、このメモリに接続された少なくとも１つのプロセッサとを含む。プロセッサは、干渉元のｅノードＢの空間ダイバーシティ送信スキームが修正されていることを示すインジケーションを受信するように構成される。プロセッサはさらに、修正された空間ダイバーシティ送信スキームに対応する変調シンボルを再生成するように構成される。さらに、プロセッサは、干渉元のｅノードＢによって送信された干渉信号を、再生成された変調シンボルと、修正された空間ダイバーシティ・スキームに基づいてデータおよびＲＳトーンから取得されたチャネル推定値とを用いて除去するように構成される。
【００１４】
別の態様は、無線通信のための装置を開示しており、これは、メモリと、メモリに接続された少なくとも１つのプロセッサとを含む。プロセッサ（単数または複数）は、干渉元のｅノードＢの空間ダイバーシティ送信スキームが修正されていることを示すシグナリングを受信するように構成される。プロセッサはまた、修正された空間ダイバーシティ送信スキームにしたがって、ユーザ機器（ＵＥ）の受信機復調および干渉推定を調節し、シグナリングに基づいて復号するように構成される。
【００１５】
別の態様では、無線通信のための装置が開示され、これは、メモリと、メモリに接続された少なくとも１つのプロセッサとを含む。プロセッサは、空間送信ダイバーシティ・スキームに対応する信号を除去するように構成される。ここで、プロセッサは、受信した信号から、他のアンテナ・ポート信号の以前の推定値を引くことに基づいて、第１のアンテナ・ポート信号を反復的に推定するように構成される。
【００１６】
別の態様では、無線ネットワークにおける無線通信のためのコンピュータ・プログラム製品が開示される。このプログラム・コードは、複数の送信アンテナ・ポートを示す基準信号を生成するためのプログラム・コードと、変調シンボルを生成するためのプログラム・コードとを含む。複数の送信アンテナ・ポートのための空間ダイバーシティ符号化スキームにしたがって、複数の送信アンテナ・ポートのおのおのに変調シンボルを割り当てるためのプログラム・コードもまた含まれる。さらに、空間ダイバーシティ符号化スキームにしたがって、送信前に、複数の送信アンテナ・ポートのうちの少なくとも１つに割り当てられた変調シンボルのうちの少なくとも１つをミュートするためのプログラム・コードと、ミュートされていない変調シンボルと基準信号とを、複数の送信アンテナ・ポートのうちのその他で送信するためのプログラム・コードとが含まれる。
【００１７】
別の態様は、複数の送信アンテナ・ポートを示す基準信号を生成する手段と、変調シンボルを生成する手段とを含む、無線通信のための装置を開示する。複数の送信アンテナ・ポートのための空間ダイバーシティ符号化スキームにしたがって、複数の送信アンテナ・ポートのおのおのに変調シンボルを割り当てる手段もまた含まれる。この装置はさらに、空間ダイバーシティ符号化スキームにしたがって、送信前に、複数の送信アンテナ・ポートのうちの少なくとも１つに割り当てられた変調シンボルのうちの少なくとも１つをミュートする手段と、ミュートされていない変調シンボルと基準信号とを、複数の送信アンテナ・ポートのうちのその他で送信する手段とを含む。
【００１８】
以下に続く詳細記載が良好に理解されるために、本開示の特徴および技術的利点が、広く概説された。本開示のさらなる特徴および利点が以下に記載されるだろう。本開示は、本開示のものと同じ目的を実行するために、修正したり、その他の構成を設計するための基礎として容易に利用されうることが当業者によって理解されるべきである。このような等価な構成は、特許請求の範囲に記載された開示の教示から逸脱しないこともまた当業者によって理解されるべきである。さらなる目的および利点とともに、動作の方法と構成との両方に関し、本開示の特徴であると信じられている新規の特徴が、添付図面と関連して考慮された場合に、以下の記載から良好に理解されるであろう。しかしながら、図面のおのおのは、例示および説明のみの目的のために提供されており、本開示の限界の定義として意図されていないことが明確に理解されるべきである。
【図面の簡単な説明】
【００１９】
本開示の特徴、特性、および利点は、同一の参照符号が全体を通じて同一物を特定している図面とともに考慮された場合、以下に記載する詳細な記載からより明らかになるだろう。
【図１】図１は、テレコミュニケーション・システムの例を概念的に例示するブロック図である。
【図２】図２は、テレコミュニケーション・システムにおけるダウンリンク・フレーム構造の例を概念的に例示する図である。
【図３】図３は、アップリンク通信におけるフレーム構造の例を概念的に例示するブロック図である。
【図４】図４は、本開示の１つの態様にしたがって構成された基地局／ｅノードＢとＵＥとの設計を概念的に例示するブロック図である。
【図５】図５は、本開示の１つの態様にしたがって構成された無線通信システムを例示するブロック図である。
【図６】図６は、空間ダイバーシティを改善する方法を例示するブロック図である。
【発明を実施するための形態】
【００２０】
添付図面とともに以下に説明する詳細説明は、さまざまな構成の説明として意図されており、本明細書に記載された概念が実現される唯一の構成を表すことは意図されていない。この詳細説明は、さまざまな概念の完全な理解を提供することを目的とした具体的な詳細を含んでいる。しかしながら、これらの概念は、これら具体的な詳細無しで実現されうることが当業者に明らかになるであろう。いくつかの事例では、周知の構成および構成要素が、このような概念を曖昧にすることを避けるために、ブロック図形式で示されている。
【００２１】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のようなさまざまな無線通信ネットワークのために使用されうる。「ネットワーク」および「システム」という用語は、しばしば置換可能に使用される。ＣＤＭＡネットワークは、例えば、ユニバーサル地上ラジオ・アクセス（ＵＴＲＡ）、ＣＤＭＡ２０００等のようなラジオ技術を実現しうる。ＵＴＲＡは、広帯域ＣＤＭＡ（Ｗ−ＣＤＭＡ）および低チップ・レート（ＬＣＲ）を含む。ＣＤＭＡ２０００は、ＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュ−ＯＦＤＭ（登録商標）等のようなラジオ技術を実現しうる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ＣＤＭＡ２０００は、「第３世代パートナシップ計画２」（３ＧＰＰ２）と命名された組織からの文書に記載されている。これらさまざまなラジオ技術および規格は、当該技術分野において知られている。明確化のために、これら技術のある態様は、以下において、ＬＴＥに関して記載されており、ＬＴＥ用語が以下の説明の多くで使用される。
【００２２】
本明細書に記載された技術は、例えばＣＤＭＡ、ＴＤＭＡ、ＦＤＭＡ、ＯＦＤＭＡ、ＳＣ−ＦＤＭＡ、およびその他のネットワークのようなさまざまな無線通信ネットワークのために使用されうる。用語「ネットワーク」および「システム」は、しばしば置換可能に使用される。ＣＤＭＡネットワークは、例えば、ユニバーサル地上ラジオ・アクセス（ＵＴＲＡ）、テレコミュニケーション・インダストリ・アソシエーション（ＴＩＡ）のｃｄｍａ２０００（登録商標）等のようなラジオ技術を実現しうる。ＵＴＲＡ技術は、広帯域ＣＤＭＡ（ＷＣＤＭＡ）、およびＣＤＭＡのその他の変形を含んでいる。ＣＤＭＡ２０００（登録商標）技術は、米国電子工業会（ＥＩＡ）およびＴＩＡからのＩＳ−２０００規格、ＩＳ−９５規格、およびＩＳ−８５６規格を含んでいる。ＴＤＭＡネットワークは、例えばグローバル移動体通信システム（ＧＳＭ（登録商標））のようなラジオ技術を実現しうる。ＯＦＤＭＡネットワークは、例えば、イボルブドＵＴＲＡ（Ｅ−ＵＴＲＡ）、ウルトラ・モバイル・ブロードバンド（ＵＭＢ）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、Ｆｌａｓｈ−ＯＦＤＭ（登録商標）等のようなラジオ技術を実現しうる。ＵＴＲＡ技術およびＥ−ＵＴＲＡ技術は、ユニバーサル・モバイル・テレコミュニケーション・システム（ＵＭＴＳ）の一部である。３ＧＰＰロング・ターム・イボリューション（ＬＴＥ）およびＬＴＥ−アドバンスト（ＬＴＥ−Ａ）は、Ｅ−ＵＴＲＡを使用するＵＭＴＳの新たなリリースである。ＵＴＲＡ、Ｅ−ＵＴＲＡ、ＵＭＴＳ、ＬＴＥ、ＬＴＥ−Ａ、およびＧＳＭは、「第３世代パートシップ計画」（３ＧＰＰ）と呼ばれる組織からの文書に記載されている。ＣＤＭＡ２０００（登録商標）およびＵＭＢは、「第３世代パートナシップ計画２」（３ＧＰＰ２）と呼ばれる組織からの文書に記載されている。本明細書で記載された技術は、他の無線ネットワークおよびラジオ・アクセス技術のみならず、前述された無線ネットワークおよびラジオ・アクセス技術のためにも使用されうる。明確化のために、これら技術のある態様は、以下において、ＬＴＥまたはＬＴＥ−Ａ（代わりにこれらはともに“ＬＴＥ／−Ａ”として称される）について記載されており、このようなＬＴＥ−Ａ用語が以下の説明の多くで使用される。
【００２３】
図１は、ＬＴＥ−Ａネットワークでありうる無線通信ネットワーク１００を示す。無線ネットワーク１００は、多くのイボルブド・ノードＢ（ｅノードＢ）１１０およびその他のネットワーク・エンティティを含む。ｅノードＢは、ＵＥと通信する局であり、基地局、ノードＢ、アクセス・ポイント等とも称されうる。おのおののｅノードＢ１１０は、特定の地理的エリアのために通信有効範囲を提供する。３ＧＰＰでは、用語「セル」は、この用語が使用される文脈に依存して、この有効通信範囲エリアにサービス提供しているｅノードＢおよび／またはｅノードＢサブシステムからなるこの特定の地理的有効通信範囲エリアを称しうる。
【００２４】
ｅノードＢは、マクロ・セル、ピコ・セル、フェムト・セル、および／または、その他のタイプのセルのために、通信有効通信範囲を提供しうる。マクロ・セルは、一般に、比較的大きな地理的エリア（例えば、半径数キロメータ）をカバーし、ネットワーク・プロバイダへのサービス加入を持つＵＥによる無制限のアクセスを許可しうる。
【００２５】
ピコ・セルは、一般に、比較的小さな地理的エリアをカバーし、ネットワーク・プロバイダへのサービス加入を持つＵＥによる無制限のアクセスを許可しうる。フェムト・セルもまた一般に、比較的小さな地理的エリア（例えば、住宅）をカバーし、フェムト・セルとの関連を持つＵＥ（例えば、クローズド加入者グループ（ＣＳＧ）におけるＵＥ）、住宅内のユーザのためのＵＥ等による無制限のアクセスを提供しうる。マクロ・セルのためのｅノードＢは、マクロｅノードＢと称されうる。ピコ・セルのためのｅノードＢは、ピコｅノードＢと称されうる。そして、フェムト・セルのためのｅノードＢは、フェムトｅノードＢまたはホームｅノードＢと称されうる。図１に示す例では、ｅノードＢ１１０ａ，１１０ｂ，１１０ｃは、マクロ・セル１０２ａ，１０２ｂ，１０２ｃそれぞれのためのマクロｅノードＢでありうる。ｅノードＢ１１０ｘは、ピコ・セル１０２ｘのためのピコｅノードＢでありうる。そして、ｅノードＢ１１０ｙ，１１０ｚは、それぞれフェムト・セル１０２ｙ，１０２ｚのためのフェムトｅノードＢである。ｅノードＢは、１または複数（例えば２，３，４個等）のセルをサポートしうる。
【００２６】
無線ネットワーク１００はさらに、中継局をも含みうる。中継局は、データおよび／またはその他の情報の送信を上流局（例えば、ｅノードＢまたはＵＥ）から受信し、データおよび／またはその他の情報の送信を下流局（例えば、ＵＥまたはｅノードＢ）へ送信する局である。中継局はまた、他のＵＥのための送信を中継するＵＥでもありうる。図１に示す例では、中継局１１０ｒは、ｅノードＢ１１０ａとＵＥ１２０ｒとの間の通信を容易にするために、ｅノードＢ１１０ａおよびＵＥ１２０ｒと通信しうる。中継局はまた、リレーｅノードＢ、リレー等とも称されうる。
【００２７】
無線ネットワーク１００はまた、例えば、マクロｅノードＢ、ピコｅノードＢ、フェムトｅノードＢ、リレー等のような異なるタイプのｅノードＢを含むヘテロジニアスなネットワークでもありうる。これら異なるタイプのｅノードＢは、異なる送信電力レベル、異なる有効通信範囲エリア、および、無線ネットワーク１００内の干渉に対する異なるインパクトを有しうる。例えば、マクロｅノードＢは、高い送信電力レベル（例えば、２０ワット）を有する一方、ピコｅノードＢ、フェムトｅノードＢ、およびリレーは、低い送信電力レベル（例えば、１ワット）を有しうる。
【００２８】
無線ネットワーク１００は、同期動作または非同期動作を支援しうる。同期動作の場合、ｅノードＢは、類似のフレーム・タイミングを有し、異なるｅノードＢからの送信は、時間的にほぼ揃えられうる。非同期動作の場合、ｅノードＢは、異なるフレーム・タイミングを有し、異なるｅノードＢからの送信は、時間的に揃わない場合がある。ここに記載された技術は、同期動作あるいは非同期動作の何れかのために使用されうる。
【００２９】
１つの態様では、無線ネットワーク１００は、周波数分割多重（ＦＤＤ）動作モードまたは時分割多重（ＴＤＤ）動作モードをサポートしうる。ここに記載された技術は、ＦＤＤ動作モードまたはＴＤＤ動作モードの何れかのために使用されうる。
【００３０】
ネットワーク・コントローラ１３０は、ｅノードＢ１１０のセットに接続しており、これらｅノードＢ１１０のための調整および制御を提供しうる。ネットワーク・コントローラ１３０は、バックホールを介してｅノードＢ１１０と通信しうる。ｅノードＢ１１０はまた、例えば、ダイレクトに、または、無線バックホールまたは有線バックホールを介して非ダイレクトに、互いに通信しうる。
【００３１】
無線ネットワーク１００の全体にわたってＵＥ１２０が分布しうる。そして、おのおののＵＥは、固定式または移動式でありうる。ＵＥは、端末、移動局、加入者ユニット、局等とも称されうる。ＵＥは、セルラ電話、携帯情報端末（ＰＤＡ）、無線モデム、無線通信デバイス、ハンドヘルド・デバイス、ラップトップ・コンピュータ、コードレス電話、無線ローカル・ループ（ＷＬＬ）局、タブレット等でありうる。ＵＥは、マクロｅノードＢ、ピコｅノードＢ、フェムトｅノードＢ、リレー等と通信することができうる。図１では、２つの矢印を持つ実線が、ＵＥと、ダウンリンクおよび／またはアップリンクでＵＥにサービス提供するように指定されたｅノードＢであるサービス提供ｅノードＢとの間の所望の送信を示す。２つの矢印を持つ破線は、ＵＥとｅノードＢとの間の干渉送信を示す。
【００３２】
ＬＴＥは、ダウンリンクにおいて直交周波数分割多重（ＯＦＤＭ）を、アップリンクにおいてシングル・キャリア周波数分割多重（ＳＣ−ＦＤＭ）を利用する。ＯＦＤＭおよびＳＣ−ＦＤＭは、システム帯域幅を、一般にトーン、ビン等とも称される複数（Ｋ個）の直交サブキャリアに区分する。おのおののサブキャリアは、データを用いて変調されうる。一般に、変調シンボルは、ＯＦＤＭを用いて周波数領域で、ＳＣ−ＦＤＭを用いて時間領域で送信される。隣接するサブキャリア間の間隔は固定され、サブキャリアの総数（Ｋ個）は、システム帯域幅に依存しうる。例えば、サブキャリアの間隔は、１５ｋＨｚでありうる。そして、（「リソース・ブロック」と呼ばれる）最小リソース割当は、１２サブキャリア（または１８０ｋＨｚ）でありうる。その結果、ノミナルＦＦＴサイズは、１．２５，２．５，５，１０，または２０メガヘルツ（ＭＨｚ）の対応するシステム帯域幅についてそれぞれ１２８，２５６，５１２，１０２４，または２０４８に等しくなりうる。システム帯域幅はまた、サブ帯域へ区分されうる。例えば、サブ帯域は、１．０８ＭＨｚ（すなわち、６リソース・ブロック）をカバーし、１．４，３，５，１０，または２０ＭＨｚの対応するシステム帯域幅についてそれぞれ１，２，４，８，または１６のサブ帯域が存在しうる。
【００３３】
図２は、ＬＴＥにおいて使用されるダウンリンクＦＤＤフレーム構造を示す。ダウンリンクの送信タイムラインは、ラジオ・フレームの単位に区分されうる。おのおののラジオ・フレームは、（例えば１０ミリ秒（ｍｓ）のような）予め定められた持続時間を有し、０乃至９のインデクスを付された１０個のサブフレームへ区分されうる。おのおののサブフレームは２つのスロットを含みうる。したがって、おのおののラジオ・フレームは、０乃至１９のインデクスを付された２０のスロットを含みうる。おのおののスロットは、Ｌ個のシンボル期間、（例えば、図２に示すような）通常のサイクリック・プレフィクスの場合、７つのシンボル期間を含み、拡張されたサイクリック・プレフィクスの場合、１４のシンボル期間を含みうる。おのおののサブフレームでは、２Ｌ個のシンボル期間が、０乃至２Ｌ−１のインデクスを割り当てられうる。利用可能な時間周波数リソースが、リソース・ブロックへ区分されうる。おのおののリソース・ブロックは、１つのスロットにおいてＮ個のサブキャリア（例えば、１２のサブキャリア）をカバーしうる。
【００３４】
ＬＴＥでは、ｅノードＢは、ｅノードＢにおける各セルについて、一次同期信号（ＰＳＣまたはＰＳＳ）および二次同期信号（ＳＳＣまたはＳＳＳ）を送信しうる。ＦＤＤ動作モードの場合、図２に示すように、一次同期信号および二次同期信号が、通常のサイクリック・プレフィクスを持つ各ラジオ・フレームのサブフレーム０およびサブフレーム５のおのおのにおいて、シンボル期間６およびシンボル期間５でそれぞれ送信されうる。これら同期信号は、セル検出および獲得のためにＵＥによって使用されうる。ＦＤＤ動作モードの場合、ｅノードＢは、サブフレーム０のスロット１におけるシンボル期間０乃至３で、物理ブロードキャスト・チャネル（ＰＢＣＨ）を送信しうる。ＰＢＣＨは、あるシステム情報を伝送しうる。
【００３５】
図２で見られるように、ｅノードＢは、各サブフレームの最初のシンボル期間で、物理制御フォーマット・インジケータ・チャネル（ＰＣＦＩＣＨ）を送信しうる。ＰＣＦＩＣＨは、制御チャネルのために使用されるシンボル期間の数（Ｍ）を伝えうる。ここで、Ｍは、１，２または３に等しく、サブフレーム毎に変化しうる。Ｍはまた、例えば、１０未満のリソース・ブロックのように、少ない数のシステム帯域幅に対して４に等しくなりうる。図２に示す例では、Ｍ＝３である。ｅノードＢは、おのおののサブフレームの最初のＭ個のシンボル期間において、物理ＨＡＲＱインジケータ・チャネル（ＰＨＩＣＨ）および物理ダウンリンク制御チャネル（ＰＤＣＣＨ）を送信しうる。ＰＤＣＣＨおよびＰＨＩＣＨもまた、図２に示す例における最初の３つのシンボル期間に含まれる。ＰＨＩＣＨは、ハイブリッド自動再送信（ＨＡＲＱ）をサポートするための情報を伝送しうる。ＰＤＣＣＨは、ＵＥのためのアップリンクおよびダウンリンクのリソース割当に関する情報と、アップリンク・チャネルのための電力制御情報とを伝送しうる。ｅノードＢはまた、おのおののサブフレームの残りのシンボル期間で、物理ダウンリンク共有チャネル（ＰＤＳＣＨ）を送信しうる。ＰＤＳＣＨは、ダウンリンクで、データ送信のためにスケジュールされたＵＥのためのデータを伝送しうる。
【００３６】
ｅノードＢは、ｅノードＢによって使用されるシステム帯域幅の中心の１．０８ＭＨｚでＰＳＣ、ＳＳＳ、およびＰＢＣＨを送信しうる。ｅノードＢは、これらのチャネルが送信される各シンボル期間におけるシステム帯域幅全体でＰＣＦＩＣＨおよびＰＨＩＣＨを送信しうる。ｅノードＢは、システム帯域幅のある部分で、ＵＥのグループにＰＤＣＣＨを送信しうる。ｅノードＢは、システム帯域幅の特定の部分で、ＵＥのグループにＰＤＳＣＨを送信しうる。ｅノードＢは、すべてのＵＥへブロードキャスト方式でＰＳＣ、ＳＳＣ、ＰＢＣＨ、ＰＣＦＩＣＨ、およびＰＨＩＣＨを送信し、ＰＤＣＣＨを、ユニキャスト方式で、特定のＵＥへ送信しうる。さらに、特定のＵＥへユニキャスト方式でＰＤＳＣＨをも送信しうる。
【００３７】
各シンボル期間において、多くのリソース要素が利用可能でありうる。おのおののリソース要素は、１つのシンボル期間において１つのサブキャリアをカバーし、実数値または複素数値である１つの変調シンボルを送信するために使用されうる。制御チャネルのために使用されるシンボルについて、各シンボル期間において、基準信号のために使用されないリソース要素が、リソース要素グループ（ＲＥＧ）へ構成されうる。おのおののＲＥＧは、１つのシンボル期間内に、４つのリソース要素を含みうる。ＰＣＦＩＣＨは、シンボル期間０において、４つのＲＥＧを占有しうる。これらは、周波数にわたってほぼ等間隔に配置されうる。ＰＨＩＣＨは、１または複数の設定可能なシンボル期間内に３つのＲＥＧを占有しうる。これらは、周波数にわたって分散されうる。例えば、ＰＨＩＣＨのための３つのＲＥＧはすべて、シンボル期間０に属しうる。あるいは、シンボル期間０，１，２に分散されうる。ＰＤＣＣＨは、最初のＭ個のシンボル期間内に、９，１８，３６，または７２のＲＥＧを占有しうる。これらは、利用可能なＲＥＧから選択されうる。複数のＲＥＧのある組み合わせのみが、ＰＤＣＣＨのために許可されうる。
【００３８】
ＵＥは、ＰＨＩＣＨとＰＣＦＩＣＨとのために使用される特定のＲＥＧを認識しうる。ＵＥは、ＰＤＣＣＨを求めて、ＲＥＧの異なる組み合わせを探索しうる。探索する組み合わせの数は、一般に、ＰＤＣＣＨにおいてすべてのＵＥのために許可された組み合わせ数よりも少ない。ｅノードＢは、ＵＥが探索する組み合わせのうちの何れかのＵＥにＰＤＣＣＨを送信しうる。
【００３９】
ＵＥは、複数のｅノードＢの有効通信範囲内に存在しうる。これらのｅノードＢのうちの１つは、ＵＥにサービス提供するために選択されうる。サービス提供するｅノードＢは、例えば受信電力、経路喪失、信号対雑音比（ＳＮＲ）等のようなさまざまな基準に基づいて選択されうる。
【００４０】
図３は、アップリンク・ロング・ターム・イボリューション（ＬＴＥ）通信における典型的なＦＤＤおよびＴＤＤ（特別ではないサブフレームのみの）サブフレーム構造を概念的に例示するブロック図である。アップリンクのために利用可能なリソース・ブロック（ＲＢ）は、データ・セクションおよび制御セクションに区分されうる。制御セクションは、システム帯域幅の２つの端部において形成され、設定可能なサイズを有しうる。制御セクションにおけるリソース・ブロックは、制御情報の送信のために、ＵＥへ割り当てられうる。データ・セクションは、制御セクションに含まれていないすべてのリソース・ブロックを含みうる。図３における設計の結果、データ・セクションは、連続するサブキャリアを含むようになる。これによって、単一のＵＥに、データ・セクション内に、連続するサブキャリアのすべてが割り当てられるようになる。
【００４１】
ＵＥは、ｅノードＢへ制御情報を送信するために、制御部分においてリソース・ブロックを割り当てられうる。ＵＥはまた、ｅノードＢへデータを送信するために、データ・セクション内にリソース・ブロックを割り当てられうる。ＵＥは、制御セクションにおいて割り当てられたリソース・ブロックで、物理アップリンク制御チャネル（ＰＵＣＣＨ）で制御情報を送信しうる。ＵＥは、データ・セクションにおいて割り当てられたリソース・ブロックで、物理アップリンク共有チャネル（ＰＵＳＣＨ）で、データのみ、または、データと制御情報との両方を送信しうる。アップリンク送信は、サブフレームからなる両スロットに及び、図３に示すように、周波数を越えてホップしうる。１つの態様によれば、緩和された単一キャリア動作において、ＵＬリソースで並列なチャネルが送信されうる。例えば、制御およびデータ・チャネル、並列制御チャネル、および並列データ・チャネルが、ＵＥによって送信されうる。
【００４２】
ＰＳＣ、ＳＳＣ、ＣＲＳ（共通基準信号）、ＰＢＣＨ、ＰＵＣＣＨ、ＰＵＳＣＨ、および、ＬＴＥ／−Ａで使用される他のこのような信号およびチャネルは、公的に利用可能な、「イボルブド・ユニバーサル地上ラジオ・アクセス（Ｅ−ＵＴＲＡ）；物理チャネルおよび変調」（Evolved Universal Terrestrial Radio Access (E-UTRA); Physical Channels and Modulation）と題された３ＧＰＰ  ＴＳ  ３６．２１１に記載されている。
【００４３】
図４は、図１における基地局／ｅノードＢのうちの１つ、およびＵＥのうちの１つでありうる、基地局／ｅノードＢ１１０とＵＥ１２０との設計のブロック図を示す。基地局１１０は、図１におけるマクロｅノードＢ１１０ｃでありうる。そして、ＵＥ１２０は、ＵＥ１２０ｙでありうる。基地局１１０はさらに、その他いくつかのタイプの基地局でもありうる。基地局１１０は、アンテナ４３４ａ乃至４３４ｔを備え、ＵＥ１２０は、アンテナ４５２ａ乃至４５２ｒを備えうる。
【００４４】
基地局１１０では、送信プロセッサ４２０が、データ・ソース４１２からデータを、コントローラ／プロセッサ４４０から制御情報を受信しうる。制御情報は、ＰＢＣＨ、ＰＣＦＩＣＨ、ＰＨＩＣＨ、ＰＤＣＣＨ等用でありうる。データは、ＰＤＳＣＨ等用でありうる。プロセッサ４２０は、データ・シンボルおよび制御シンボルをそれぞれ取得するために、データ情報および制御情報を処理（例えば、符号化およびシンボル・マップ）しうる。プロセッサ４２０はさらに、例えばＰＳＳ、ＳＳＳのための基準シンボルや、セル特有の基準信号を生成しうる。送信（ＴＸ）複数入力複数出力（ＭＩＭＯ）プロセッサ４３０は、適用可能であれば、基準シンボル、制御シンボル、および／または、データ・シンボルに空間処理（例えば、プリコーディング）を実行し、出力シンボル・ストリームを変調器（ＭＯＤ）４３２ａ乃至４３２ｔに提供しうる。おのおのの変調器４３２は、（例えば、ＯＦＤＭ等のために）それぞれの出力シンボル・ストリームを処理して、出力サンプル・ストリームを得る。おのおのの変調器４３２はさらに、出力サンプル・ストリームを処理（例えば、アナログ変換、増幅、フィルタ、およびアップコンバート）し、ダウンリンク信号を取得する。変調器４３２ａ乃至４３２ｔからのダウンリンク信号は、アンテナ４３４ａ乃至４３４ｔによってそれぞれ送信されうる。
【００４５】
ＵＥ１２０では、アンテナ４５２ａ乃至４５２ｒが、基地局１１０からダウンリンク信号を受信し、受信した信号を、復調器（ＤＥＭＯＤ）４５４ａ乃至４５４ｒへそれぞれ提供しうる。おのおのの復調器４５４は、受信したそれぞれの信号を調整（例えば、フィルタ、増幅、ダウンコンバート、およびデジタル化）して、入力サンプルを取得しうる。おのおのの復調器４５４はさらに、（例えば、ＯＦＤＭ等のため）これら入力サンプルを処理して、受信されたシンボルを取得しうる。ＭＩＭＯ検出器４５６は、すべての復調器４５４ａ乃至４５４ｒから受信したシンボルを取得し、適用可能である場合、これら受信されたシンボルに対してＭＩＭＯ検出を実行し、検出されたシンボルを提供しうる。受信プロセッサ４５８は、検出されたシンボルを処理（例えば、復調、デインタリーブ、および復号）し、ＵＥ１２０のために復号されたデータをデータ・シンク４６０に提供し、復号された制御情報をコントローラ／プロセッサ４８０へ提供しうる。
【００４６】
アップリンクでは、ＵＥ１２０において、送信プロセッサ４６４が、データ・ソース４６２から（例えばＰＵＳＣＨのための）データを、コントローラ／プロセッサ４８０から（例えばＰＵＣＣＨのための）制御情報を受信し、これらを処理しうる。プロセッサ４６４はさらに、基準信号のための基準シンボルをも生成しうる。送信プロセッサ４６４からのシンボルは、適用可能であれば、ＴＸ  ＭＩＭＯプロセッサ４６６によってプリコードされ、さらに、（例えば、ＳＣ−ＦＤＭ等のために）変調器４５４ａ乃至４５４ｒによって処理され、基地局１１０へ送信される。基地局１１０では、ＵＥ１２０からのアップリンク信号が、アンテナ４３４によって受信され、復調器４３２によって処理され、適用可能な場合にはＭＩＭＯ検出器４３６によって検出され、さらに、受信プロセッサ４３８によって処理されて、ＵＥ１２０によって送信された復号されたデータおよび制御情報が取得される。プロセッサ４３８は、復号されたデータをデータ・シンク４３９に提供し、復号された制御情報をコントローラ／プロセッサ４４０へ提供しうる。基地局１１０は、例えばＸ２インタフェース４４１を介して、他の基地局へメッセージを送信しうる。
【００４７】
コントローラ／プロセッサ４４０，４８０は、基地局１１０およびＵＥ１２０それぞれにおける動作を指示しうる。基地局１１０におけるプロセッサ４４０および／またはその他のプロセッサおよびモジュールは、本明細書に記載された技術のためのさまざまな処理の実行または実行の指示を行いうる。ＵＥ１２０におけるプロセッサ４８０および／またはその他のプロセッサおよびモジュールは、図６Ａおよび図６Ｂに例示された機能ブロック、および／または、本明細書に記載された技術のためのその他の処理の実行または指示を行いうる。メモリ４４２，４８２は、基地局１１０およびＵＥ１２０それぞれのためのデータおよびプログラム・コードを格納しうる。スケジューラ４４４は、ダウンリンクおよび／またはアップリンクでのデータ送信のためにＵＥをスケジュールしうる。
【００４８】
図５は、本開示の１つの態様にしたがって構成された無線通信システム５００を概念的に例示するブロック図である。無線通信システム５００は、サービス提供基地局（すなわち、ｅノードＢ５１０）によってサービス提供されるマクロ・セル５１２を含んでいる。フェムトｅノードＢ５１４によってサービス提供されるフェムト・セル５１６が、マクロ・セル５１２にオーバレイされる。フェムト・セル５１６は、クローズド加入者グループ（ＣＳＧ）を保持する。これは、フェムトｅノードＢ５１４との通信に参加することによって、フェムト・セル５１６を使用する許可を有するＵＥを除くすべてのＵＥにフェムト・セル５１６がクローズされていることを意味する。２つのＵＥすなわちＵＥ５１８およびＵＥ５１９が、ｅノードＢ５１０と通信しているが、フェムト・セル５１６内に位置してもいる。１つのシナリオでは、ＵＥ５１８もＵＥ５１９も、フェムト・セル５１６のＣＳＧへ認可されない。したがって、ｅノードＢ５１０との接続５２０，５２６それぞれを維持している間、ＵＥ５１８およびＵＥ５１９は、フェムトｅノードＢ５１４によって送信された干渉信号５２２，５２４それぞれからの干渉を受ける。フェムトｅノードＢ５１４からの強い干渉を打ち消すために、ＵＥ５１８，５１９は、干渉信号５２２，５２４の除去を試みるだろう。
【００４９】
そのメンバＵＥの帯域幅およびサービスの向上のために、フェムトｅノードＢ５１４は、２つの送信アンテナ・ポートを用いて送信する。例えば無線通信システム５００のような無線通信システムでは、通信パフォーマンスを改善するために送信機と受信機との両方において複数のアンテナを用いることは、複数入力複数出力またはＭＩＭＯと称される。いくつかのシナリオでは、ＭＩＭＯ技術は、追加の帯域幅または送信電力を使うことなく、データ・スループットおよびリンク範囲を顕著に増加させうる。これは、より高いスペクトル効率およびリンク信頼度またはダイバーシティによって達成されうる。ダイバーシティを高めるいくつかの技術のうちの１つは、例えば空間−周波数ブロック符号（ＳＦＢＣ）および空間−時間ブロック符号（ＳＴＢＣ）のようなさまざまなＡｌａｍｏｕｔｉ符号を用いることによってなされる。ＳＦＢＣ／ＳＴＢＣは、送信されたダイバーシティ・ストリームが直交するように設計されている。これは、より高い信号対雑音比（ＳＮＲ）を可能にする。しかしながら、ＳＦＢＣ／ＳＴＢＣ符号とともに複数の送信アンテナ・ポートを用いるこの送信スキームは、メンバＵＥのためのフェムト・セル５１６内でサービスすることに有益であるが、複数の送信アンテナ・ポートはまた、ＵＥ５１８，５１９の信号除去パフォーマンスにもインパクトを与えうる。
【００５０】
複数の送信アンテナ・ポートから送信された干渉信号に対する信号除去パフォーマンスの低下は、干渉信号が、単一の送信アンテナ・ポートで送信された場合におけるパフォーマンス低下よりもはるかに大きい。特定のシステムにおけるおのおののｅノードＢは、使用している送信アンテナ・ポートの数を特定する通知を送信する。この情報は、一般に、物理ブロードキャスト・チャネル（ＰＢＣＨ）で送信される。
【００５１】
アドバンストＬＴＥ（ＬＴＥ−Ａ）システムと互換性をもつＵＥは、セル間干渉を除去することを、広くアクティブに調整することができる。セル間干渉調整（ＩＣＩＣ）として知られているこの技術は、干渉元の基地局間のリソース調整を含んでいる。ここで、干渉元の基地局は、犠牲ユーザ端末への制御およびデータ送信を可能とするために、いくつかのリソースの使用を放棄する。さらに詳しくは、干渉元の基地局は、対応するユーザ端末への制御およびデータ送信を可能とするために、送信電力および／または空間ビームについて互いに調整しうる。さらに、別のＩＣＩＣを実施する際に、干渉信号に関する情報が、ＵＥにダイレクトに与えられうる。これによって、ＵＥは、干渉信号をより良好に除去できうるようになる。しかしながら、ＩＣＩＣ技術は、例えばＵＥ５１９のようなアドバンストＵＥの参加を含んでおり、例えば、ＵＥ５１８のような旧式のＵＥとの互換性がないことがありうる。したがって、無線通信システム５００は、例えばＵＥ５１８のようなレガシーＵＥが、少ないパフォーマンス低下で空間ダイバーシティ・スキームを未だに復号できるのと同時に、例えばＵＥ５１９のようなアドバンストＵＥが、パフォーマンス低下無く、干渉信号５２２の干渉除去に対処できるような方式で、空間ダイバーシティ・スキームを修正することによって、より優れた干渉調整を提供するように構成されている。
【００５２】
１つの態様では、フェムトｅノードＢ５１４は、送信アンテナ・ポートの数を通知する基準信号を生成する。一例では、基準信号は、共通基準信号（ＣＲＳ）である。フェムトｅノードＢ５１４はまた、変調シンボルを生成し、これら変調シンボルを、示された数のアンテナ・ポートのための空間ダイバーシティ符号化スキームにしたがって、アンテナ・ポートに割り当てる。一例では、空間ダイバーシティ符号化スキームは、アンテナ・ポートの数が２である場合にはＳＦＢＣ（空間周波数ブロック符号化）であり、アンテナ・ポートの数が４である場合にはＳＦＢＣ−ＦＳＴＤ（空間周波数ブロック符号化−周波数シフト時間ダイバーシティ）である。
【００５３】
フェムトｅノードＢ５１４は、ＵＥ５１８，５１９を検出すると、２つまたは４つの送信アンテナ・ポートを用いて、例えばＵＥ５１８のようなレガシーＵＥへの送信を通知することを続けるため、および、例えばＵＥ５１９のようなＬＴＥ−Ａ  ＵＥのパフォーマンスを高めるために、空間ダイバーシティ符号化スキーム（例えば、ＳＦＢＣ／ＳＦＢＣ−ＦＳＴＤ）を修正する。１つの態様では、フェムトｅノードＢ５１４は、例えばＵＥ５１９のようなＬＴＥ−Ａ  ＵＥを検出した場合、またはレガシーＵＥを検出しない場合に限り、この修正を実行するように選択しうる。フェムトｅノードＢ５１４は、２つまたは４つの送信アンテナを用いた送信のためと同様に、ＳＦＢＣ／ＳＦＢＣ−ＦＳＴＤ符号化を処理する。しかしながら、フェムトｅノードＢ５１４は、空間ダイバーシティ符号の送信の直前に、アンテナ・ポートのうちのいくつかのために、データを伝送するトーン（すなわち、非基準信号トーン）をミュートまたはゼロ・アウトする。例えば、２つのＣＲＳアンテナ・ポートを備えたシステムでは、ｅノードＢは、（例えばＰＢＣＨの送信のような）特定の送信に割り当てられたすべてのデータ・リソース要素における２つのアンテナ・ポート出力のうちの１つをミュートしうる。別の例では、ｅノードＢは、リソース・ブロックのうちの１つのセットに割り当てられたすべてのデータ・リソース要素における１つのアンテナ・ポートと、データ・ブロックのうちの残りのセットにおける第２のアンテナ・ポートとをミュートしうる。したがって、送信されたＳＦＢＣ／ＳＦＢＣ−ＦＳＴＤ符号化信号は、単一の送信アンテナのものと類似した構造を有し、あたかもダイバーシティ符号化が２つの送信アンテナのためであるかのような同じ情報を保持する。
【００５４】
ＵＥ５１８は、送信された信号を受信し、この修正に気付かず、以前のようにスキームの復号を続け、いくつかパフォーマンスをロスする。しかしながら、非常に低いＳＮＲで復号されるように設計されたＰＢＣＨのようなチャネルの場合、パフォーマンスが低下しても、全体的なシステム・インパクトは極めて小さくなりうる。より高度な干渉除去能力を有するＵＥ５１９は既に、ＳＦＢＣ／ＳＦＢＣ−ＦＳＴＤ送信が修正されたことを知っており、調節された送信を考慮するために、受信機変調スキームを調節することができる。これによって、大きなパフォーマンス低下無く、信号除去を行うことが可能となる。
【００５５】
本開示の代替態様では、フェムトｅノードＢ５１４には、４つの送信アンテナ・ポートが備えられている。フェムトｅノードＢ５１４は、４つの送信アンテナ・ポートのために通常の空間ダイバーシティ送信を準備した後、これら４つの送信アンテナ・ポートのうちの３つのアンテナ・ポート出力をミュートまたはゼロ・アウトする。したがって、送信された空間ダイバーシティ送信は、４つの送信アンテナ・ポートによって実際に送信された空間ダイバーシティ送信に類似したペイロードを有するだろう。４つのアンテナ・ポートのうちの３つが、送信前に無効とされることによって、ＵＥ５１８，５１９の信号除去処理におけるパフォーマンス低下は、４つの送信アンテナ・ポートがおのおの通常の出力を送信した場合に生じるものよりも少なくなるであろう。
【００５６】
４つの送信アンテナ・ポート・シナリオの別の態様では、２つのアンテナ・ポート上で、４つの送信アンテナ・ポート出力を回転させることによって、４つの送信アンテナ・ポートが送信する。この態様では、空間ダイバーシティ送信を、４つの送信アンテナ・ポートについて通常として準備した後、２つの送信アンテナ・ポートのうちの１つが第１の送信においてヌルされ、信号が、次の２つの送信アンテナ・ポートに回転された場合、１つが同様に、送信前にそこでヌルされる。この補足の態様では、送信された空間ダイバーシティ送信は、４送信アンテナ・ポート・システムのために生成されたペイロードに類似したペイロードを有するが、信号は、これらアンテナ・ポートのうちの２つの出力を反映する。
【００５７】
別の態様では、ＳＦＢＣおよび／またはＳＦＢＣ−ＦＳＴＤのためにミュート・パターンが定義されうる。ここで、２つのデータ・リソース要素が、ＳＦＢＣグループを形成し、４つのデータ・リソース要素が、ＳＦＢＣ−ＦＳＴＤグループを形成する。ミュート・パターンは、対応する変調シンボルがミュートされる、リソース要素とアンテナ・ポートとの組み合わせを定義しうる。一例では、２つまたは４つのアンテナ・ポートの何れかにおいて、ミュート・パターンは、時間および／または周波数にわたって（すなわち、異なるＳＦＢＣ／ＳＦＢＣ−ＦＳＴＤにわたって）変動する。別の例では、ミュート・パターンは、リソース・ブロックにおけるＳＦＢＣ／ＳＦＢＣ−ＦＳＴＤグループのすべてについて同じでありうるが、その他のリソース・ブロックおよびサブフレームにわたって変動しうる。すなわち、ミュートされたリソース・ブロック（単数または複数）は、時間および／または周波数にわたって変動し、結果として、送信ダイバーシティとなる。例えば、アンテナ・ポート１が、リソース・ブロック１でミュートされ、アンテナ・ポート・ゼロが、リソース・ブロック２でミュートされうる。したがって、ＵＥは、アンテナ・ポート０とアンテナ・ポート１との両方からの信号を受信し、リソース・ブロック１とリソース・ブロック２との両方が考慮される。これは、両方のリソース・ブロックにおいて同じアンテナ・ポートがミュートされる場合とは逆である。１つの態様では、ｅノードＢは、ＵＥに、ミュート・パターンをシグナルする。別の態様では、既にＵＥは、標準化されているミュート・パターンを知っている。
【００５８】
別の態様では、ミュートされた変調シンボルの電力が、ミュートされていない変調シンボルまたはその他のデータ・シンボルを電力ブーストするために適用される。一例では、この電力ブーストは、同じアンテナ・ポートのミュートされた変調シンボルと同じＯＦＤＭシンボルにおける、ミュートされていない変調シンボルのみに加えられる。
【００５９】
修正された空間ダイバーシティ送信スキームは、本開示のさまざまな態様の適用に依存して、物理ブロードキャスト・チャネル（ＰＢＣＨ）用であるか、または、例えば物理ダウンリンク共有チャネル（ＰＤＳＣＨ）等のようなその他任意のブロードキャスト、データ、あるいは制御チャネル用であることが注目されるべきである。
【００６０】
干渉信号の除去は、さまざまな方法を用いて実施されうる。ＳＦＢＣ／ＦＳＴＤ（空間周波数ブロック符号／周波数シフト時間ダイバーシティ）のためのさまざまな反復チャネル推定は、さらにパフォーマンスを改善しうる。１つの例は、複数のセルのＰＢＣＨがオーバラップし、ＵＥがより強いセルのＰＢＣＨを除去することによってＰＢＣＨの復号を試みる、受信機を例示する。ＰＢＣＨは、ＳＦＢＣ／ＳＦＢＣ−ＦＳＴＤスキームを適用する。除去を実行するために、ＵＥは、基準信号から推定されたチャネルを用いてＰＢＣＨを復号し、その後、この復号されたデータからチャネルを推定し、チャネルのより正確な推定値を得る。ＵＥは、その後、より強いセルのＰＢＣＨの、推定された受信信号を除去しうる。例えば、受信機は、ＳＦＢＣ／ＳＴＢＣダイバーシティ・スキームを使用している場合、データを復号するために、チャネルがＳＦＢＣ／ＳＴＢＣスキームに含まれるリソース要素のグループにわたって同じであると仮定する。ＵＥは、データが復号されると、１つの送信アンテナ・ポートに対応するチャネルを推定するために、先ず、基準信号から取得されたチャネル推定値を用いて、第２のアンテナ・ポートからの寄与を除去することを試みる。同様に、ＵＥは、第２のアンテナ・ポートのチャネルを推定し、基準信号からのチャネル推定値を用いて、第１のアンテナ・ポートからの信号を除去する。この時点において、ＵＥは、この信号を完全に除去するために使用する、データからのチャネル推定値を有する。
【００６１】
さらなる態様では、除去の第１ラウンドは、基準信号からのチャネル推定値を用いる。復号されたデータから取得されたチャネル推定値を用いて、さらなるラウンドが反復される。
【００６２】
さらに追加の態様では、基準信号から導出されたチャネル推定値を用いて第１のアンテナ・ポート信号を除去するために、オリジナルの信号を用いて、別の反復処理がＵＥにおいて開始される。ＵＥは、その後、第２のアンテナ・ポートのための、データに基づいたチャネル推定値を取得する。オリジナルの信号からは、再び、第２のアンテナ・ポート信号が、基準信号からの推定値を用いて除去され、その後、ＵＥは、第１のアンテナ・ポートのための、データに基づいた別のチャネル推定値を取得する。第１のアンテナ・ポート信号は、データに基づくチャネル推定値を用いて、オリジナルの信号から除去される。これによって、チャネル推定値が、良好なデータに基づいて第２のアンテナ・ポートについて取得される。ＵＥは、オリジナルの信号から、データに基づく推定値を用いて、第２のアンテナ・ポート信号を除去する。再び、第１のアンテナ・ポートについて、データに基づく良好なチャネル推定値が取得される。十分な除去品質が達成されるまで、これらの最後の２ステップが反復される。
【００６３】
信号除去の別の態様は、基準信号からのチャネル推定値を用いる第１のアンテナ信号の除去を含む。第２のアンテナ・ポートのデータが使用され、除去された信号から、チャネル推定値が使用される。ＵＥは、データに基づくチャネル推定値を用いて、オリジナルの信号から、第２のアンテナ・ポートを除去する。ＵＥは、除去された信号から、第１のアンテナ・ポートのデータを用いて、チャネル推定値を取得する。ＵＥは、再び、データに基づくチャネルを用いて、オリジナルの信号から、第１のアンテナ・ポート信号を除去する。適切な除去品質が達成されるまで、基準信号からのチャネル推定値を利用しないステップが、何度も反復される。
【００６４】
図６は、ヘテロジニアスなネットワークにおける有効通信範囲を強化するための方法６０１の例を例示する機能ブロック図である。ブロック６１０では、基地局において、送信アンテナ・ポートの数を示す基準信号が生成される。ブロック６１２では、示されたアンテナ・ポートのための変調シンボルが生成される。基地局は、生成された変調シンボルを、空間ダイバーシティ送信スキームにしたがってアンテナ・ポートに割り当てる。ブロック６１４では、アンテナ・ポートに割り当てられた変調シンボルのうちの少なくとも１つが、空間ダイバーシティ・スキームにしたがって、送信前にミュートされる。その後、ブロック６１６では、ミュートされていない変調シンボルおよび基準信号が、他のアンテナ・ポート（単数または複数）で送信される。
【００６５】
図６における機能ブロックおよびモジュールは、プロセッサ、電子デバイス、ハードウェア・デバイス、電子部品、論理回路、メモリ、ソフトウェア・コード、ファームウェア・コード等、またはこれらの任意の組み合わせを備えうる。
【００６６】
１つの構成では、基準信号を生成する手段を含むｅノードＢ１１０が、無線通信のために構成される。１つの態様では、生成する手段は、生成する手段によって詳述された機能を実行するように構成されたコントローラ／プロセッサ４４０、送信プロセッサ４２０、および／または、ＴＸ  ＭＩＭＯプロセッサ４３０でありうる。ｅノード１１０はまた、変調シンボルを生成する手段をも含むように構成される。１つの態様では、変調シンボルを生成する手段は、生成する手段によって詳述された機能を実行するように構成されたコントローラ／プロセッサ４４０および／または送信プロセッサ４２０でありうる。ｅノード１１０はまた、ミュートする手段をも含むように構成される。１つの態様では、ミュートする手段は、ミュートする手段によって詳述された機能を実行するように構成されたコントローラ／プロセッサ４８０および変調器４３２ａ−４３２ｔでありうる。ｅノードＢ１１０はまた、送信する手段をも含むように構成される。１つの態様では、送信する手段は、送信する手段によって詳述された機能を実行するように構成されたＴＸ  ＭＩＭＯプロセッサ４３０でありうる。別の態様では、前述した手段は、前述した手段によって記述された機能を実行するように構成されたモジュールまたは任意の装置でありうる。
【００６７】
当業者であればさらに、本明細書の開示に関連して記載されたさまざまな例示的な論理ブロック、モジュール、回路、およびアルゴリズム・ステップが、電子工学ハードウェア、コンピュータ・ソフトウェア、あるいはこれらの組み合わせとして実現されることを理解するであろう。ハードウェアとソフトウェアとの相互置換性を明確に説明するために、さまざまな例示的な構成要素、ブロック、モジュール、回路、およびステップが、それらの機能の観点から一般的に記載された。これら機能がハードウェアとしてまたはソフトウェアとして実現されるかは、特定の用途およびシステム全体に課せられている設計制約に依存する。当業者であれば、特定の用途のおのおのに応じて変化する方式で、前述した機能を実現しうる。しかしながら、この適用判断は、本発明の範囲からの逸脱をもたらすものと解釈されるべきではない。
【００６８】
本明細書の開示に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサは、マイクロ・プロセッサでありうるが、代替例では、このプロセッサは、従来のプロセッサ、コントローラ、マイクロ・コントローラ、または順序回路でありうる。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成であるコンピューティング・デバイスの組み合わせとして実現されうる。
【００６９】
本明細書の開示に関連して説明された方法またはアルゴリズムのステップは、ハードウェアで直接的に、プロセッサによって実行されるソフトウェア・モジュールで、またはこの２つの組合せで実施することができる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に存在しうる。典型的な記憶媒体は、プロセッサが記憶媒体から情報を読み取り、また記憶媒体に情報を書き込むことができるようにプロセッサに結合される。あるいは、この記憶媒体は、プロセッサに統合されうる。このプロセッサと記憶媒体とは、ＡＳＩＣ内に存在しうる。ＡＳＩＣは、ユーザ端末内に存在しうる。あるいは、プロセッサおよび記憶媒体は、ユーザ端末内のディスクリートな構成要素として存在しうる。
【００７０】
１または複数の典型的な設計では、記載された機能は、ハードウェア、ソフトウェア、ファームウェア、あるいはそれらの任意の組み合わせによって実現されうる。ソフトウェアで実現される場合、これら機能は、コンピュータ読取可能な媒体上に格納されるか、あるいは、コンピュータ読取可能な媒体上の１または複数の命令群またはコードとして送信されうる。コンピュータ読取可能な媒体は、コンピュータ記憶媒体と通信媒体との両方を含む。これらは、コンピュータ・プログラムのある場所から別の場所への転送を容易にする任意の媒体を含む。記憶媒体は、汎用コンピュータまたは特別目的コンピュータによってアクセスされうる任意の利用可能な媒体でありうる。限定ではなく、一例として、このようなコンピュータ読取可能な媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶装置、あるいは、命令群またはデータ構造の形式で所望のプログラム・コード手段を伝送または格納するために使用され、かつ、汎用コンピュータまたは特別目的コンピュータ、あるいは、汎用プロセッサまたは特別目的プロセッサによってアクセスされうるその他任意の媒体を備えうる。さらに、いかなる接続も、コンピュータ読取可能な媒体として適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ｄｉｓｃ）（ＣＤ）、レーザ・ディスク（ｄｉｓｃ）、光ディスク（ｄｉｓｃ）、デジタル多用途ディスク（ｄｉｓｃ）（ＤＶＤ）、フロッピー（登録商標）ディスク（ｄｉｓｋ）、およびブルー・レイ・ディスク（ｄｉｓｃ）を含む。これらｄｉｓｃは、レーザを用いてデータを光学的に再生する。それに対して、ｄｉｓｋは、通常、データを磁気的に再生する。上記の組み合わせもまた、コンピュータ読取可能な媒体の範囲内に含まれるべきである。
【００７１】
本開示の上記記載は、当業者をして、本開示の製造または利用を可能とするように提供される。本開示に対するさまざまな変形は、当業者に容易に明らかであって、本明細書で定義された一般原理は、本開示の精神または範囲から逸脱することなく、他のバリエーションに適用されうる。このように、本開示は、本明細書で示された例および設計に限定されることは意図されておらず、本明細書で開示された原理および新規な特徴に一致した最も広い範囲に相当するとされている。
以下に、本願の当初の特許請求の範囲に記載された発明を付記する。
［１］
ヘテロジニアスな無線ネットワークにおける有効通信範囲を強化する方法であって、
複数の送信アンテナ・ポートを示す基準信号を生成することと、
変調シンボルを生成することと、
前記複数の送信アンテナ・ポートのための空間ダイバーシティ符号化スキームにしたがって、前記複数の送信アンテナ・ポートのおのおのに変調シンボルを割り当てることと、
前記空間ダイバーシティ符号化スキームにしたがって、送信前に、前記複数の送信アンテナ・ポートのうちの少なくとも１つに割り当てられた変調シンボルのうちの少なくとも１つをミュートすることと、
ミュートされていない変調シンボルと前記基準信号とを、前記複数の送信アンテナ・ポートのうちのその他で送信することと、を備える方法。
［２］
前記ミュートすることは、第１のｅノードＢの有効通信範囲エリア内のユーザ機器（ＵＥ）が検出されると、前記第１のｅノードＢによって実行され、
前記ＵＥは、第２のｅノードＢと通信しており、
前記第１のｅノードＢからのダウンリンク信号は、前記ＵＥと前記第２のｅノードＢとの間の通信信号と干渉する、［１］に記載の方法。
［３］
前記基準信号は、共通基準信号（ＣＲＳ）を備える、［１］に記載の方法。
［４］
前記ミュートされていない変調シンボルを送信することはさらに、ＰＢＣＨ（物理ブロードキャスト・チャネル）領域で送信することを備える、［１］に記載の方法。
［５］
少なくとも１つのユーザ機器（ＵＥ）へミュート・パターンをシグナルすること、をさらに備える［１］に記載の方法。
［６］
前記ミュートされた変調シンボルは、時間および周波数のうちの少なくとも１つにわたって変動する、［１］に記載の方法。
［７］
同じリソース・ブロック内の全てのＳＦＢＣ／ＳＦＢＣ−ＦＳＴＤ（空間周波数ブロック符号／空間周波数ブロック符号−周波数シフト時間ダイバーシティ）グループについて、同じミュート・パターンが使用される、［６］に記載の方法。
［８］
前記ミュートされた変調シンボルに割り当てられた電力に基づいて、ミュートされていない変調シンボルに電力ブーストを加えること、をさらに備える［１］に記載の方法。
［９］
ｅノードＢの空間ダイバーシティ送信スキームが修正されていることを示すインジケーションを受信することと、
前記修正された空間ダイバーシティ送信スキームに基づいて、データを復号することと、をさらに備える［１］に記載の方法。
［１０］
干渉元のｅノードＢからの干渉信号を除去する方法であって、
前記干渉元のｅノードＢの空間ダイバーシティ送信スキームが修正されていることを示すインジケーションを受信すること、
前記修正された空間ダイバーシティ送信スキームに対応する変調シンボルを再生成することと、
前記干渉元のｅノードＢによって送信された干渉信号を、前記再生成された変調シンボルと、前記修正された空間ダイバーシティ・スキームに基づいてデータおよびＲＳトーンから取得されたチャネル推定値とを用いて除去することと、を備える方法。
［１１］
無線通信の方法であって、
干渉元のｅノードＢの空間ダイバーシティ送信スキームが修正されていることを示すシグナリングを受信することと、
前記修正された空間ダイバーシティ送信スキームにしたがって、ユーザ機器（ＵＥ）の受信機復調および干渉推定を調節することと、
前記シグナリングに基づいて復号することと、を備える方法。
［１２］
前記ＵＥが、干渉はランク１であると判定し、干渉ヌルイングを実行すること、をさらに備える［１１］に記載の方法。
［１３］
無線通信の方法であって、
空間送信ダイバーシティ・スキームに対応する信号を除去することを備え、
前記除去することは、受信した信号から、他のアンテナ・ポート信号の以前の推定値を引くことに基づいて、第１のアンテナ・ポート信号を反復的に推定することを備える、方法。
［１４］
前記推定することは、送信された変調シンボルと、アンテナ・ポートのチャネル推定値とに基づく、［１３］に記載の方法。
［１５］
前記チャネル推定値は、受信した信号から、他のアンテナ・ポート信号の以前の推定値を引くことに基づいて、基準信号とデータ・シンボルとのうちの１つから導出される、［１４］に記載の方法。
［１６］
無線通信のための装置であって、
メモリと、
前記メモリに接続された少なくとも１つのプロセッサとを備え、
前記少なくとも１つのプロセッサは、
複数の送信アンテナ・ポートを示す基準信号を生成し、
変調シンボルを生成し、
前記複数の送信アンテナ・ポートのための空間ダイバーシティ符号化スキームにしたがって、前記複数の送信アンテナ・ポートのおのおのに前記変調シンボルを割り当て、
前記空間ダイバーシティ符号化スキームにしたがって、送信前に、前記複数の送信アンテナ・ポートのうちの少なくとも１つに割り当てられた変調シンボルのうちの少なくとも１つをミュートし、
ミュートされていない変調シンボルと前記基準信号とを、前記複数の送信アンテナ・ポートのうちのその他で送信するように構成された、装置。
［１７］
前記ミュートするように構成されたプロセッサは、第１のｅノードＢの有効通信範囲エリア内のユーザ機器（ＵＥ）が検出されると、前記第１のｅノードＢにおいて実行され、
前記ＵＥは、第２のｅノードＢと通信しており、
前記第１のｅノードＢからのダウンリンク信号は、前記ＵＥと前記第２のｅノードＢとの間の通信信号と干渉する、［１６］に記載の装置。
［１８］
前記基準信号は、共通基準信号（ＣＲＳ）を備える、［１６］に記載の装置。
［１９］
前記送信するように構成されたプロセッサはさらに、ＰＢＣＨ（物理ブロードキャスト・チャネル）領域で送信するように構成された、［１６］に記載の装置。
［２０］
前記プロセッサはさらに、少なくとも１つのユーザ機器（ＵＥ）へミュート・パターンをシグナルするように構成された、［１６］に記載の装置。
［２１］
前記ミュートされた変調シンボルは、時間および周波数のうちの少なくとも１つにわたって変動する、［１６］に記載の装置。
［２２］
同じリソース・ブロック内の全てのＳＦＢＣ／ＳＦＢＣ−ＦＳＴＤ（空間周波数ブロック符号／空間周波数ブロック符号−周波数シフト時間ダイバーシティ）グループについて、同じミュート・パターンが使用される、［２１］に記載の装置。
［２３］
前記プロセッサはさらに、前記ミュートされた変調シンボルに割り当てられた電力に基づいて、ミュートされていない変調シンボルに電力ブーストを加えるように構成された、［１６］に記載の装置。
［２４］
前記プロセッサはさらに、ｅノードＢの空間ダイバーシティ送信スキームが修正されたことを示すインジケーションを受信し、前記修正された空間ダイバーシティ送信スキームに基づいて、データを復号するように構成された、［１６］に記載の装置。
［２５］
干渉元のｅノードＢからの干渉信号を除去するための装置であって、
メモリと、
前記メモリに接続された少なくとも１つのプロセッサとを備え、
前記少なくとも１つのプロセッサは、干渉元のｅノードＢの空間ダイバーシティ送信スキームが修正されていることを示すインジケーションを受信し、
前記修正された空間ダイバーシティ送信スキームに対応する変調シンボルを再生成し、
前記干渉元のｅノードＢによって送信された干渉信号を、前記再生成された変調シンボルと、前記修正された空間ダイバーシティ・スキームに基づいてデータおよびＲＳトーンから取得されたチャネル推定値とを用いて除去するように構成された、装置。
［２６］
無線通信のための装置であって、
メモリと、
前記メモリに接続された少なくとも１つのプロセッサとを備え、
前記少なくとも１つのプロセッサは、
干渉元のｅノードＢの空間ダイバーシティ送信スキームが修正されていることを示すシグナリングを受信し、
前記修正された空間ダイバーシティ送信スキームにしたがって、ユーザ機器（ＵＥ）の受信機復調および干渉推定を調節し、
前記シグナリングに基づいて復号するように構成された、装置。
［２７］
前記プロセッサはさらに、干渉がランク１であると判定し、干渉ヌルイングを実行するように構成された、［２６］に記載の装置。
［２８］
無線通信のための装置であって、
メモリと、
前記メモリに接続された少なくとも１つのプロセッサとを備え、
前記少なくとも１つのプロセッサは、空間送信ダイバーシティ・スキームに対応する信号を除去するように構成され、
前記プロセッサは、受信した信号から、他のアンテナ・ポート信号の以前の推定値を引くことに基づいて、第１のアンテナ・ポート信号を反復的に推定するように構成された、装置。
［２９］
前記推定することは、送信された変調シンボルと、アンテナ・ポートのチャネル推定値とに基づく、［２８］に記載の装置。
［３０］
前記チャネル推定値は、受信した信号から、他のアンテナ・ポート信号の以前の推定値を引くことに基づいて、基準信号とデータ・シンボルとのうちの１つから導出される、［２９］に記載の装置。
［３１］
無線ネットワークにおける無線通信のためのコンピュータ・プログラム製品であって、
記録された非一時的なプログラム・コードを有する非一時的なコンピュータ読取可能な媒体を備え、前記プログラム・コードは、
複数の送信アンテナ・ポートを示す基準信号を生成するためのプログラム・コードと、
変調シンボルを生成するためのプログラム・コードと、
前記複数の送信アンテナ・ポートのための空間ダイバーシティ符号化スキームにしたがって、前記複数の送信アンテナ・ポートのおのおのに変調シンボルを割り当てるためのプログラム・コードと、
前記空間ダイバーシティ符号化スキームにしたがって、送信前に、前記複数の送信アンテナ・ポートのうちの少なくとも１つに割り当てられた変調シンボルのうちの少なくとも１つをミュートするためのプログラム・コードと、
ミュートされていない変調シンボルと基準信号とを、複数の送信アンテナ・ポートのうちのその他で送信するためのプログラム・コードとを備える、コンピュータ・プログラム製品。
［３２］
無線通信のための装置であって、
複数の送信アンテナ・ポートを示す基準信号を生成する手段と、
変調シンボルを生成する手段と、
前記複数の送信アンテナ・ポートのための空間ダイバーシティ符号化スキームにしたがって、前記複数の送信アンテナ・ポートのおのおのに変調シンボルを割り当てる手段と、
前記空間ダイバーシティ符号化スキームにしたがって、送信前に、前記複数の送信アンテナ・ポートのうちの少なくとも１つに割り当てられた変調シンボルのうちの少なくとも１つをミュートする手段と、
ミュートされていない変調シンボルと前記基準信号とを、前記複数の送信アンテナ・ポートのうちのその他で送信する手段とを備える装置。
【図１】
0005612197.tif 000002
【図２】
0005612197.tif 000003
【図３】
0005612197.tif 000004
【図４】
0005612197.tif 000005
【図５】
0005612197.tif 000006
【図６】
0005612197.tif 000007